(57)【特許請求の範囲】
【請求項１】
ＧＰＳ端末機を用いて物品のリアルタイム位置追跡サービスを提供するための運送システムにおいて、使用者から物品の位置追跡サービス利用による使用者情報の入力と、運送サービス提供サーバーからの物品の位置情報を受信して表示するためのデジタル情報ディスプレイであって、
前記物品のリアルタイム位置追跡サービスによる情報及び所定の広告コンテンツを表示するためのディスプレイ部；
前記物品のリアルタイム位置追跡サービスの申込みによる情報入力及び費用決済のための使用者入力部；
前記物品のリアルタイム位置追跡サービスの申込みによる領収証及びサービスクーポンを出力するための出力部；
前記物品のリアルタイム位置追跡サービスの申込み者情報、物品情報及び物品の位置情報を保存するためのメモリ部；及び
前記使用者入力部を介して受け付けられたサービスの申込み情報を取り合わせ、有線又は無線のネットワーク部を介して前記運送サービス提供サーバーに伝達し、ＧＰＳ端末機が付着された該当の物品の位置情報を前記運送サービス提供サーバーから受信して前記ディスプレイ部に表示するように制御するための制御部を含み、
前記使用者入力部は、
タッチパネルで構成され、物品のリアルタイム位置追跡サービス申込みのための使用者情報、発送状番号、決済手段、所定のイベント参加申込みの中から少なくとも一つを選択して入力できるようにするタッチスクリーンモジュール；
ＲＦＩＤによって位置追跡サービスの申込み及び決済が可能な端末機から申込み者の情報を読み取るためのＲＦＩＤモジュール；
クレジットカード又は会員カードから申込み者情報を読み取るためのカードリーダーモジュール；及び
名刺情報を判読して申込み者情報を読み取るための名刺リーダーモジュール、を含み、
前記ＧＰＳ端末機は、位置情報の受信及び送信の可能な端末機であり、
前記ＧＰＳ端末機に固有のＩＤが付与されて物品の区分が可能であり、
前記物品は、前記ＧＰＳ端末機の含まれたボックスに保管して運送される、ことを特徴とする、物品の位置追跡サービス提供が可能なデジタル情報ディスプレイ。
【発明の詳細な説明】
【技術分野】
【０００１】
本発明は物品の位置追跡サービス提供が可能なデジタル情報ディスプレイに係り、より詳しくは物品又は運送車両に装着されたＧＰＳ端末機から受信された位置情報を活用してリアルタイムで物品の位置をデジタル情報ディスプレイに表示するか、あるいは位置追跡サービス申込み者の移動通信端末機に物品の位置情報を多様な形態で提供する物品の位置追跡サービス提供が可能なデジタル情報ディスプレイに関する。
【背景技術】
【０００２】
一般に、衛星利用測位システム（ｇｌｏｂａｌ ｐｏｓｉｔｉｏｎｉｎｇ ｓｙｓｔｅｍ；以下“ＧＰＳ"という）は高度約２万ｋｍに配置されて約１２時間で地球上を周回する２４基の衛星を用いて１０ｍ以内の誤差範囲で正確な位置を追跡することができる。衛星から送信されてくる航法信号は２種の周波数が使用される。すなわち、１５７５．４２ＭＨｚでは軍事用信号「Ｐコード」と民間に公開された信号「Ｃ／Ａコード」、１２７７．６０ＭＨｚでは「Ｐコード」が送信される。
【０００３】
近年、ＧＰＳに使われる部品の小型化につれてその応用が多様になっており、需要が徐々に増加している。このようなＧＰＳを用いる位置追跡システムは飛行機、船舶及び自動車などに使われており、個人携帯電話に内蔵して個人の位置を追跡するのにも使われている。
【０００４】
一方、物品の運送サービスを提供する宅配会社、郵便局などは運送状番号を顧客に提供して、インターネット又は有線上で物品の現在位置を確認することができるようにするサービスを提供している。この際、それぞれの集荷場所に到着した物品の運送情報データが活用されている。
【０００５】
顧客が運送状番号の照会で確認することができる物品の位置情報は、物品がどの地域の集荷場所に到着したか又は最終集荷場所からどの配達員の運送車両に搭載されて配送されつつある程度である。
【０００６】
最終集荷場所に到着した物品であってもすべての物品を車両に搭載することができない場合がたびたび生じて配送日の遅延となる場合が発生し、最終配達員が物品を配達しつつあっても、いつ頃最終配送先に到着するかは配達員との通話によっておおかた分かることになるが、配達員及び取扱支店との通話も容易には行うことができない。
【０００７】
そして、運送サービスを提供する業者が物品を紛失する場合がたびたび発生しているが、これは誤った配送先に配送されるかあるいは配送中に紛失又は盗難される場合によるからである。
【０００８】
このような理由で、物品の購買、小包、宅配、郵便物などの運送サービスに対する苦情の受付件数が増大しており、誤った物品の位置情報によって顧客の信頼が低下するなどの問題が発生している。
【０００９】
一方、デジタル情報ディスプレイ（ＤＩＤ）はＤｉｇｉｔａｌ Ｉｎｆｏｒｍａｔｉｏｎ Ｄｉｓｐｌａｙの略字で、銀行、デパート、ショッピングセンター、空港、ホテル、展示場などの室内及び室外で該当の設置場所に適した各種の案内情報とともに広告、映像及び音響を提供するデジタルディスプレイ装置としての機能と広告掲示の可能な情報提供装置としての機能を有する複合映像媒体であり、ＲＦＩＤ（Ｒａｄｉｏ Ｆｒｅｑｕｅｎｃｙ Ｉｄｅｎｔｉｆｉｃａｔｉｏｎ）はＩＣチップと無線通信を介して製品、食品、動物、事物などの多様な個体の情報を管理することができる次世代認識技術で、最近にはクレジットカード、交通カードなどの電子料金支払いシステムや出入統制システムに普遍的に用いられる。
【発明の概要】
【発明が解決しようとする課題】
【００１０】
したがって、本発明は前述した問題点を解決するためになされたもので、本発明の目的は、顧客が物品をリアルタイムで追跡することができる物品の位置追跡サービス提供が可能なデジタル情報ディスプレイを提供することにある。
【００１１】
また、本発明の他の目的は、物品又は運送車両に取り付けられたＧＰＳ端末機から得られた物品のリアルタイム位置情報と地図情報をマッピングしてデジタル情報ディスプレイに表示する物品の位置追跡サービス提供が可能なデジタル情報ディスプレイを提供することにある。
【００１２】
また、本発明のさらに他の目的は、位置追跡サービスを申し込んだ顧客の移動通信端末機に位置情報を送信する物品の位置追跡サービス提供が可能なデジタル情報ディスプレイを提供することにある。
【課題を解決するための手段】
【００１３】
前述した本発明の目的は、物品又は運送車両に取り付けられたＧＰＳ端末機を用いて物品のリアルタイム位置追跡サービスを提供するための運送システムにおいて、使用者から物品の位置追跡サービス利用による使用者情報の入力と、運送サービス提供サーバーからの物品の位置情報を受信して表示するためのデジタル情報ディスプレイであって、前記物品のリアルタイム位置追跡サービスによる情報及び所定の広告コンテンツを表示するためのディスプレイ部；前記物品のリアルタイム位置追跡サービスの申込みによる情報入力及び費用決済のための使用者入力部；前記物品のリアルタイム位置追跡サービスの申込みによる領収証及びサービスクーポンを出力するための出力部；前記物品のリアルタイム位置追跡サービスの申込み者情報、物品情報及び物品の位置情報を保存するためのメモリ部；及び前記使用者入力部を介して受け付けられたサービスの申込み情報を取り合わせ、有線又は無線のネットワーク部を介して前記運送サービス提供サーバーに伝達し、ＧＰＳ端末機が付着された該当の物品の位置情報を前記運送サービス提供サーバーから受信して前記ディスプレイ部に表示するように制御するための制御部を含む、物品の位置追跡サービス提供が可能なデジタル情報ディスプレイによって達成可能である。
【００１４】
本発明によれば、前記ディスプレイ部は、２Ｄ又は３Ｄパネルの少なくとも一つで構成され、物品の位置を地図上に表示することができる。
【００１５】
本発明によれば、前記使用者入力部は、タッチパネルで構成され、物品のリアルタイム位置追跡サービス申込みのための使用者情報、発送状番号、決済手段、所定のイベント参加申込みの中から少なくとも一つを選択して入力できるようにするタッチスクリーンモジュール；ＲＦＩＤによって位置追跡サービスの申込み及び決済が可能な端末機から申込み者の情報を読み取るためのＲＦＩＤモジュール；及びクレジットカード又は会員カードの磁気から申込み者情報を読み取るためのカードリーダーモジュールを含むことができる。
【００１６】
本発明によれば、前記使用者入力部は、名刺情報を判読して申込み者情報を読み取るための名刺リーダーモジュールをさらに含むことができる。
【００１７】
本発明によれば、前記制御部は、前記使用者入力部のＲＦＩＤモジュールを介して入力された移動通信端末機の電話番号に物品の位置追跡によるメッセージ伝送サービスを提供することができる。
【００１８】
本発明によれば、前記制御部は、前記使用者入力部のタッチスクリーンモジュールに入力された少なくとも一つの携帯電話番号に物品の位置追跡によるメッセージ伝送サービスを提供することができる。
【００１９】
本発明によれば、前記出力部は、感熱紙用プリンター又はバーコード用ステッカープリンターの少なくとも一つで構成され、前記物品の位置追跡サービスの申込み領収証、クレジットカード及びポイントカードによる決済による領収証、割引券の中から少なくとも一つを出力することができる。
【００２０】
本発明によれば、前記出力部は、領収証又はバーコードステッカーの裏面に割引券を出力することができる。
【発明の効果】
【００２１】
本発明による物品の位置追跡サービスのためのデジタル情報ディスプレイによれば、物品又は運送車両に取り付けられたＧＰＳ端末機から得られた物品のリアルタイム位置情報と地図情報をマッピングしてデジタル情報ディスプレイに表示することで、デジタル情報ディスプレイから物品のリアルタイム位置情報を確認することができる効果がある。
【００２２】
また、本発明による物品の位置追跡サービスのためのデジタル情報ディスプレイによれば、位置追跡サービスを申し込んだ顧客の移動通信端末機に位置情報を送信することで、付加の照会がなくても物品の移動経路と時点によって正確な位置情報を確認することができる効果がある。
【００２３】
また、本発明による物品の位置追跡サービスのためのデジタル情報ディスプレイによれば、紛失事故発生の際、物品の移動経路を正確に把握することができるので、紛失経緯の確認及び忘れ物の回収が容易になる効果がある。
【図面の簡単な説明】
【００２４】
【図１】本発明の実施例による物品のリアルタイム位置追跡サービスを提供するための運送システムの構成を示す図。
【図２】本発明の実施例による物品の位置追跡サービス提供が可能なデジタル情報ディスプレイの構成を示すブロック図である。
【図３】本発明の実施例による物品の位置追跡サービス提供が可能なデジタル情報ディスプレイの構成を示す正面図である。
【発明を実施するための形態】
【００２５】
本明細書及び請求範囲に使用された用語や単語は通常の辞書的な意味に限定して解釈されてはならず、発明者は自分の発明を最良の方法で説明するために用語の概念を適切に定義することができるという原則に従って本発明の技術的思想に合う意味と概念に解釈されなければならない。
【００２６】
したがって、本明細書に記載された実施例と図面に示された構成は本発明の最良の一実施例に過ぎなく、本発明の技術的思想を全部示すものではないので、本出願の当時においてこれらを取り替えることができる多様な均等物と変形例があり得ることを理解しなければならない。
【００２７】
以下、添付図面に基づいて本発明の好適な実施例を詳細に説明する。
【００２８】
図１は本発明の実施例による物品のリアルタイム位置追跡サービスを提供するための運送システムの構成を示す図である。
【００２９】
本発明の物品のリアルタイム位置追跡システムは、物品１又は運送車両１０に装着され、衛星５０から物品１の位置情報を受信し、受信された位置情報を送信するＧＰＳ端末機２０と、前記ＧＰＳ端末機２０から送信された物品１の位置情報信号を受信する運送サービス提供サーバー６０と、使用者から物品１の位置追跡サービス利用による使用者情報の入力と運送サービス提供サーバー６０から物品の位置情報を受信して表示するためのデジタル情報ディスプレイ１００とを含んで構成され、物品１の正確な位置をリアルタイムで追跡することができ、物品１のリアルタイム位置追跡サービスを申し込んだ使用者の移動通信端末機２００にメッセージ伝送サービスを提供することができる。
【００３０】
前記物品１は宅配物、小包、郵便などに配送されるすべての品物を含み、受付及び配送の際にコード化して管理されることが好ましい。
【００３１】
前記物品１又は運送車両１０に装着されるＧＰＳ端末機２０は位置情報の受信及び送信の可能な端末機であることが好ましく、それぞれのＧＰＳ端末機２０ごとに固有のＩＤが付与されて物品の区分が可能である。
【００３２】
前記物品１をＧＰＳ端末機２０の含まれたボックスに保管して運送することで、第３者が勝手に前記ＧＰＳ端末機２０を除去することを防止することが好ましい。
【００３３】
又は、着脱の容易な形態に構成することで、顧客に物品１が到着したとき、ＧＰＳ端末機２０だけを容易に取り外して撤去することができるようにすることが好ましい。
【００３４】
付着ができない物品１の場合には、運送車両１０に取り付けられた少なくとも一つのＧＰＳ端末機２０に物品１に指定された各コードを付与することで、物品１に直接付着された場合と同一の効果をもたらすことができる。
【００３５】
前記運送サービス提供サーバー６０は運送業者サーバーで、運送業者の代表サーバー又は各地点のサーバーで構成できる。
【００３６】
前記運送サービス提供サーバー６０は、インターネット網（図示せず）と移動通信網（図示せず）を介して物品１の位置情報の送受信と、メッセージ伝送サービスを提供する。
【００３７】
図２は本発明の実施例による物品の位置追跡サービス提供が可能なデジタル情報ディスプレイの構成を示すブロック図であり、図３は本発明の実施例による物品の位置追跡サービス提供の可能なデジタル情報ディスプレイの構成を示す正面図である。
【００３８】
図２及び図３に示すように、物品１又は運送車両１０に取り付けられたＧＰＳ端末機２０を用いて物品１のリアルタイム位置追跡サービスを提供するための運送システムにおいて、使用者から物品１の位置追跡サービスの利用による使用者情報の入力と運送サービス提供サーバー６０からの物品１の位置情報を受信して表示するためのデジタル情報ディスプレイ（Ｄｉｇｉｔａｌ Ｉｎｆｏｒｍａｔｉｏｎ Ｄｉｓｐｌａｙ）１００は、前記物品１のリアルタイム位置追跡サービスによる情報及び所定の広告コンテンツを表示するためのディスプレイ部１２０と、前記物品１のリアルタイム位置追跡サービスの申込みによる情報入力及び費用決済のための使用者入力部１１０と、前記物品１のリアルタイム位置追跡サービスの申込みによる領収証及びサービスクーポンなどの出力物１４１を出力するための出力部１４０と、前記物品１のリアルタイム位置追跡サービスの申込み者の情報、物品１の情報及び物品１の位置情報を保存するためのメモリ部１３０と、前記使用者入力部１１０を介して受け付けられたサービスの申込み情報を取り合わせて有線又は無線のネットワーク部１５０を介して前記運送サービス提供サーバー６０に伝達し、ＧＰＳ端末機２０が付着された該当の物品１の位置情報を前記運送サービス提供サーバー６０から受信して前記ディスプレイ部１２０に表示するように制御するための制御部１６０とを含んでなる。
【００３９】
前記デジタル情報ディスプレイ１００は物品１の運送サービスを提供する業者又はその支店に配置され、物品１の受付の際又は受付の後に顧客の位置追跡サービスの申込み及び位置照会のために使われる。
【００４０】
また、人々の活動地域である地下鉄、街並み、銀行などに設置され、いつでも物品１の位置追跡サービスを用いることができるようにすることが好ましい。
【００４１】
前記デジタル情報ディスプレイ１００は、物品１の受付の際に発給された運送状番号と申込み者情報を入力してリアルタイム位置追跡サービスを申し込むことができるようにする端末機である。
【００４２】
さらに、前記位置追跡サービスだけでなく、業者の広報物及び販売物品（特産物など）の情報を表示することができ、販売物品（特産物など）の購買の際、割引又は多様な優遇サービスを提供するためのクーポン発給機としても機能する。
【００４３】
前記ディスプレイ部１２０は２Ｄ又は３Ｄパネルの少なくとも一つで構成され、物品１の位置を地図上に表示し、運送業者の広告コンテンツ又はサービス利用についての情報を表示する。
【００４４】
前記使用者入力部１１０は、タッチパネルで構成され、物品１のリアルタイム位置追跡サービス申込みのための使用者情報、発送状番号、決済手段、所定のイベント参加申込みの中から少なくとも一つを選択して入力できるようにするためのタッチスクリーンモジュール１１２と、ＲＦＩＤによって位置追跡サービスの申込み及び決済が可能な端末機から申込み者情報を読み取るためのＲＦＩＤモジュール１１４と、名刺１１９の情報を判読して申込み者情報を読み取るための名刺リーダーモジュール１１８と、クレジットカード又は会員カードの磁気を介して申込み者情報を読み取るためのカードリーダーモジュール１１６とからなり、使用者の便宜によって多様な入力方式で使用者の個人情報を入力することができる。
【００４５】
前記会員カードは、例えば郵便局、宅配会社などの提携会員カードであり得るが、これに限定されない。
【００４６】
前記物品１の位置追跡サービスは無料又は有料で提供され、決済方式はクレジットカードによる決済、会員カードによる決済、会員カードポイントによる決済、現金による決済を含む多様な方式が適用できる。
【００４７】
前記出力部１４０は感熱紙用プリンター又はバーコード用ステッカープリンターの少なくとも一つで構成され、前記物品１の位置追跡サービスの申込み領収証、クレジットカード及びポイントカードによる決済による領収証、割引券を含む出力物１４１を出力する。
【００４８】
また、前記出力部１４０は領収証又はバーコードステッカーの裏面に割引券を出力して割引券として活用できるようにする。
【００４９】
例えば、使用者はバーコードステッカーの裏面の割引券で郵便局で販売される商品を購買できるという優遇を受けることができ、郵便局と提携した業者の商品又はサービス利用による割引という優遇を受けることができるようになる。
【００５０】
前記制御部１６０は、前記使用者入力部１１０のＲＦＩＤモジュール１１４を介して入力された移動通信端末機の電話番号に物品１の位置追跡によるメッセージ伝送サービスを提供する。
【００５１】
また、前記制御部１６０は、前記使用者入力部１１０のタッチスクリーンモジュール１１２を介して入力された少なくとも一つの移動通信端末機２００の番号に物品１の位置追跡によるメッセージ伝送サービスを提供するように制御する。
【００５２】
そして、スマートフォンのような移動通信端末機２００の使用者には物品の位置追跡アプリケーションを提供することで、物品１のリアルタイム位置確認が容易に行えるようにすることが好ましい。
【００５３】
前記デジタル情報ディスプレイ１００は、無人宅配機、無人郵便受付機と連動することにより、受付先に訪問しなくても物品１の受付及び位置追跡サービスを提供することができる。
【００５４】
以上、本発明の好適な実施例に基づいて本発明を図示して説明したが、本発明が前記実施例に限定されなく、本発明の技術思想を逸脱しない範疇内で本発明が属する当該技術分野で通常の知識を持った者によって本発明の技術思想と特許請求の範囲の均等範囲内で多様な修正及び変形が可能であるのはいうまでもない。
【産業上の利用可能性】
【００５５】
本発明は、物品又は運送車両に装着されたＧＰＳ端末機から受信された位置情報を活用してリアルタイムで物品の位置をデジタル情報ディスプレイに表示するか、あるいは位置追跡サービス申込み者の移動通信端末機に物品の位置情報を多様な形態で提供する物品の位置追跡サービス提供が可能なデジタル情報ディスプレイに適用可能である。
【符号の説明】
【００５６】
１    物品
１０    運送車両
２０    ＧＰＳ端末機
５０    人工衛星
６０    運送サービス提供サーバー
１００    デジタル情報ディスプレイ（ＤＩＤ）
１１０    使用者入力部
１１２    タッチスクリーンモジュール
１１４    ＲＦＩＤモジュール
１１６    カードリーダーモジュール
１１８    名刺リーダーモジュール
１２０    ディスプレイ部
１３０    メモリ部
１４０    出力部
１５０    有線又は無線のネットワーク部
１６０    制御部
【図１】
0005278920.tif 000002
【図２】
0005278920.tif 000003
【図３】
0005278920.tif 000004